(57)【特許請求の範囲】
【請求項１】
便器洗浄タンクの下面内から突設され側面にオーバーフロー管が延出された排水弁座と、該排水弁座内に挿入可能な中空円錐部の上部外周面に該排水弁座上縁部と密着可能な鍔部が周設されると共に該鍔部下面近傍の該中空円錐部側面と該円錐部下部とを連絡する連絡孔が開設され該オーバーフロー管または該オーバーフロー管下方近傍に上下方向揺動可能に軸支可能なフラッパ弁と、の間に配設され、該排水弁座内側面及び／又は該排水弁座上縁部に密着して着座可能に且つ開口部が下部に開設され該鍔部と密着可能な漏斗状を呈する本体部に、該オーバーフロー管を挟持し該フラッパ弁を上下方向揺動可能に軸支する挟持部を突設して形成され、
前記開口部は、底面視放射状に開設されていると共に該開口部を形成する構成面中心部に取付孔が開設されてなり、前記排水弁座内に開設されている排水弁体ガイド孔と該取付孔とを介して前記排水弁座に前記本体部を固定する固定手段を設けたことを特徴とする便器洗浄タンク用排水弁間座体。
【請求項２】
前記本体部と前記挟持部とが、該挟持部に対して該本体部を上下方向角度調整可能、該本体部と該挟持部との間隔調整可能及び該本体部と前記排水弁座との高さ調整可能な調整手段を介して接続されていることを特徴とする請求項１に記載の便器洗浄タンク用排水弁間座体。
【請求項３】
前記フラッパ弁は、前記便器洗浄タンクに設けられるレバーハンドルと線状部材を介して接続され、該線状部材の中途に浮きを設けたことを特徴とする請求項１又は２に記載の便器洗浄タンク用排水弁間座体。
【請求項４】
便器洗浄タンクの下面内から突設され側面にオーバーフロー管が延出された排水弁座と、該排水弁座内に挿入可能な中空円錐部の上部外周面に該排水弁座上縁部と密着可能な鍔部が周設されると共に該鍔部下面近傍の該中空円錐部側面と該円錐部下部とを連絡する連絡孔が開設され該鍔部からフラッパ弁に対して遠方側に平行に延出している２本の腕部に複数の対応する孔部が設けてあり該孔部のうちのフラッパ弁に近い側の対応する任意の孔部を所望の軸支孔とし該軸支孔によって軸支され上下方向揺動可能に構成されたフラッパ弁と、の間に配設され、該排水弁座内側面及び／又は該排水弁座上縁部に密着して着座可能に且つ開口部が下部に開設され該鍔部と密着可能な漏斗状を呈する本体部に、該フラッパ弁を上下方向揺動可能に軸支する軸支部を突設して形成され、
前記開口部は、底面視放射状に開設されていると共に該開口部を形成する構成面中心部に取付孔が開設されてなり、前記排水弁座内に開設されている排水弁体ガイド孔と該取付孔とを介して前記排水弁座に前記本体部を固定する固定手段を設けたことを特徴とする便器洗浄タンク用排水弁間座体。
【請求項５】
前記本体部と前記軸支部とが、該軸支部に対して該本体部を上下方向角度調整可能、該本体部と該軸支部との間隔調整可能及び該本体部と前記排水弁座との高さ調整可能な調整手段を介して接続されていることを特徴とする請求項４に記載の便器洗浄タンク用排水弁間座体。
【請求項６】
前記フラッパ弁の前記鍔部から前記フラッパ弁に対して遠方側に平行に延出している２本の腕部に複数の対応する孔部が設けてあり該孔部のうちの前記フラッパ弁に近い側の対応する任意の孔部を所望の軸支孔とし前記本体部の前記軸支部に軸支係合させて前記本体部に対し揺動可能にするとともに、前記鍔部から前記フラッパ弁に対して最も遠方側に平行に延出している２本の腕部に複数の対応する孔部が設けてあり該孔部のうちの前記軸支孔よりも前記フラッパ弁に対して最も遠方側の対応する孔部を保持孔とし該保持孔に保持するウエイトを設けて保持し前記本体部の前記軸支部を支点とする前記フラッパ弁の揺動動作の揺動負荷を軽減させたことを特徴とする請求項４又は５に記載の便器洗浄タンク用排水弁間座体。
【請求項７】
前記フラッパ弁は、前記便器洗浄タンクに設けられるレバーハンドルと線状部材を介して接続され、該線状部材の中途に浮きを設けたことを特徴とする請求項４〜６のいずれか１項に記載の便器洗浄タンク用排水弁間座体。
【発明の詳細な説明】
【０００１】
【発明の属する技術分野】
本発明は、排水弁座とフラッパ弁とで構成される便器洗浄タンク用排水弁に用いられる便器洗浄タンク用排水弁間座体に関する。
【０００２】
【従来の技術】
従来よりサイホンジェット式の水洗便器に洗浄水を供給させるものとして、排水弁を内部に配設した便器洗浄タンクがある。
現在、この上記した排水弁は、図９に示すように大別して２種類ある。まず、図９（１）に例示したように、オーバーフロー管ａ３が延出され上縁部が所望の傾斜角度もって形成された排水弁座ａ１と、該オーバーフロー管下方近傍に上下方向揺動可能に軸支され該排水弁座を被装するように着座する略スプーン状を呈した排水弁体ａ２とで構成されるタイプ（以下、「Ａタイプ」という。）である。
【０００３】
また、図９（２）に例示したように、外側面からオーバーフロー管ｂ３が延出され上方に向かって内側面が拡径するように略すり鉢状に形成されると共にその内部中途域に管径方向放射状に開口部が開設された排水弁座ｂ１と、下部に開口部が開設され該排水弁座の傾斜内面に密着するように着座する略中空ボール状の排水弁体ｂ２とを、排水弁体内面上部から垂設され排水弁座の開口部中央に開設された孔部に上下方向スライド可能に挿嵌されたガイド杆ｂ４で連結したタイプ（以下、「Ｂタイプ」という。）である。
【０００４】
いずれの排水弁も、排水弁体とタンク側面に突設されたレバーハンドルとを線状部材で連結し、該レバーハンドルを回動操作することで、排水弁座から排水弁体が離間して洗浄水が排水されると共に、いったん開弁したらその状態を維持させるように排水弁体に空気を留めておく形状（所望の浮力を得る）に形成してあることで、タンク内に貯水された洗浄水全てを排出可能にしている。
【０００５】
ところで、この旧来の便器洗浄タンクから排出される排水量は、当然のことながら、その製造元の設計思想に基づいて決定されているが、排水量が少ないために汚物が除去しきれないという状態を発生させないために、排水量は多めになるように設定されており、往々にしてその排水量は、過剰な量である場合が多い。そこで、多すぎる排水量を適切な排水量に是正するという課題に着目しその解決を図ったものとして、特許第２８２５３４８号公報で提案されたトイレット水槽用流量調節自在フラッパ弁などがある。
この特許第２８２５３４８号公報によって開示されたフラッパ弁ｃは、図１０に示すように、排水弁座内に挿入可能な中空円錐部ｃ１の上部外周面に該排水弁座上縁部と密着可能な鍔部ｃ２が周設され、また、該鍔部下面近傍の該中空円錐部側面と該円錐部下部とを連絡する連絡孔ｃ３、ｃ４が開設されており、オーバーフロー管ａ３下方近傍に上下方向揺動可能に軸支されている。また、このフラッパ弁ｃとタンク側面に突設されたレバーハンドル（不図示）とを線状部材で連結して弁の開閉動を可能ならしめている。
【０００６】
このように構成されたフラッパ弁ｃは、レバーハンドルを回動操作することにより、排水弁座からフラッパ弁ｃが離間してタンク内に貯水された洗浄水の排水を開始する。
すると、円錐部ｃ１内部に充満していた空気が、鍔部ｃ２下面近傍の中空円錐部ｃ１側面に開設された連絡孔ｃ３から徐々に逃げると同時に、タンク内の洗浄水が、円錐部下部に開設された連絡孔ｃ４を介して円錐部ｃ１内部に徐々に流入していく。この間、フラッパ弁は開弁状態を維持している。
【０００７】
やがて、円錐部ｃ１内部が洗浄水で略満たされるフラッパ弁ｃは徐々に浮力を失い、その自重により排水弁座ａ１に着座する。そして、円錐部ｃ１下部に開設された連絡孔ｃ４からその内部に溜まった水が排出され初期状態に戻る。
このフラッパ弁ｃは、既存の排水弁体と交換することで簡単に節水効果を得ることができ極めて好適なもので、現在、ホームセンターを始めとする量販店などで販売され好評を博している。
【０００８】
【発明が解決しようとする課題】
しかしながら、このフラッパ弁は、上記したＡタイプの排水弁に対応したものであり、現在において市場に多く流通しているもう一方のＢタイプの排水弁に適合していない。
そこで本発明は、節水効果の向上を図ることが可能なフラッパ弁を、既存の便器洗浄タンク略全てに取着可能ならしめるようにした便器洗浄タンク用排水弁間座体を提供することを目的とする。
【０００９】
【課題を解決するための手段】
上記課題を解決するために本発明にかかる便器洗浄タンク用排水弁間座体は、下記の技術的手段を講じた。便器洗浄タンクの下面内から突設され側面にオーバーフロー管が延出された排水弁座と、該排水弁座内に挿入可能な中空円錐部の上部外周面に該排水弁座上縁部と密着可能な鍔部が周設されると共に該鍔部下面近傍の該中空円錐部側面と該円錐部下部とを連絡する連絡孔が開設され該オーバーフロー管または該オーバーフロー管下方近傍に上下方向揺動可能に軸支可能なフラッパ弁と、の間に配設され、該排水弁座内側面及び／又は該排水弁座上縁部に密着して着座可能に且つ開口部が下部に開設され該鍔部と密着可能な漏斗状を呈する本体部に、該オーバーフロー管を挟持し該フラッパ弁を上下方向揺動可能に軸支する挟持部を突設して形成され、前記開口部は、底面視放射状に開設されていると共に該開口部を形成する構成面中心部に取付孔が開設されてなり、前記排水弁座内に開設されている排水弁体ガイド孔と該取付孔とを介して前記排水弁座に前記本体部を固定する固定手段を設けた。
【００１０】
上記技術的手段によれば、漏斗状を呈する本体部を排水弁座内側面又は／及び排水弁座上縁部に密着して着座させると同時に、オーバーフロー管に挟持させて本体部を保持させる挟持部にフラッパ弁を上下方向揺動可能に軸支する。また、本体部とフラッパ弁の鍔部とが密着して閉弁状態を形成すると共に、線状部材を介してレバーハンドルと連結されたフラッパ弁は、レバーハンドルの回動操作に応動して本体部から離間して開弁状態を形成するので排水がなされる。この漏斗状を呈する本体部を排水弁座内側面又は/及び排水弁座上縁部に密着して着座させる場合は、耐水性の接着剤を用いても良いものでその態様は任意である。
【００１２】
さらに、この技術的手段によれば、開口部を底面視放射状に開設し開口部を形成する構成面中心部に孔部を開設して本体部を構成する。そして、排水弁座内中途部に排水弁体ガイド孔が開設された、いわゆるＢタイプの排水弁座の場合、固定手段によって、かかる取付孔と予め開設されている排水弁体ガイド孔とを介して排水弁座に本体部を固定可能とする。
【００１３】
また、前記した本体部と挟持部とが、挟持部に対して本体部を上下方向角度調整可能、本体部と挟持部との間隔調整可能及び本体部と排水弁座との高さ調整可能な調整手段を介して接続されていることが好ましい。
この上記技術的手段によれば、排水弁座の上面部が平面状ではなく、ある所望の傾斜角で形成されていた場合等、角度調整を行う必要が生じても無理なく当該間座体を排水弁座に取着可能とする。また、排水弁座とオーバーフロー管との直線距離が異なる場合には、本体部と挟持部との間隔調整を行うことで無理なく当該間座体を排水弁座に取着可能とし、本体部と排水弁座との高さが異なる場合には、高さ調整を行うことで取着可能とする（請求項３）。
【００１４】
さらに、前記したフラッパ弁は、便器洗浄タンクに設けられるレバーハンドルと線状部材を介して接続され、線状部材の中途に浮きを設けるとよい。
この上記技術的手段によれば、浮きの浮力によりレバーハンドルを容易に回動可能とし、水圧や排水時の水流によりフラッパ弁が所望の時間よりも早く閉じてしまうのを防止することを可能とする（請求項４）。
【００１５】
さらに、上記課題を解決するために本発明にかかる便器洗浄タンク用排水弁間座体は、更に別の態様として、下記の技術的手段を講じた。便器洗浄タンクの下面内から突設され側面にオーバーフロー管が延出された排水弁座と、該排水弁座内に挿入可能な中空円錐部の上部外周面に該排水弁座上縁部と密着可能な鍔部が周設されると共に該鍔部下面近傍の該中空円錐部側面と該円錐部下部とを連絡する連絡孔が開設され該鍔部からフラッパ弁に対して遠方側に平行に延出している２本の腕部に複数の対応する孔部が設けてあり該孔部のうちのフラッパ弁に近い側の対応する任意の孔部を所望の軸支孔とし該軸支孔によって軸支され上下方向揺動可能に構成されたフラッパ弁と、の間に配設され、該排水弁座内側面及び／又は該排水弁座上縁部に密着して着座可能に且つ開口部が下部に開設され該鍔部と密着可能な漏斗状を呈する本体部に、該フラッパ弁を上下方向揺動可能に軸支する軸支部を突設して形成され、前記開口部は、底面視放射状に開設されていると共に該開口部を形成する構成面中心部に取付孔が開設されてなり、前記排水弁座内に開設されている排水弁体ガイド孔と該取付孔とを介して前記排水弁座に前記本体部を固定する固定手段を設けた。
【００１６】
上記技術的手段によれば、漏斗状を呈する本体部を排水弁座内側面又は／及び排水弁座上縁部に密着して着座させると同時に、本体部に設けた軸支部にフラッパ弁を上下方向揺動可能に軸支する。フラッパ弁と本体部はフラッパ弁の腕部の軸支孔と本体部の軸支部の支軸とが係合しこの軸支係合部分がフラッパ弁に対して遠方側へ突出するが、その突出方向を任意に調整することができるので、オーバーフロー管及び又はオーバーフロー管近傍部との干渉を避けることができる。また、本体部とフラッパ弁の鍔部とが密着して閉弁状態を形成すると共に、線状部材を介してレバーハンドルと連結されたフラッパ弁は、レバーハンドルの回動操作に応動して本体部から離間して開弁状態を形成する。
【００１８】
さらに、この技術的手段によれば、開口部を底面視放射状に開設し開口部を形成する構成面中心部に孔部を開設して本体部を構成する。そして、排水弁座内中途部に排水弁体ガイド孔が開設された、いわゆるＢタイプの排水弁座の場合、固定手段によって、かかる取付孔と予め開設されている排水弁体ガイド孔とを介して前記排水弁座に前記本体部を本体部の軸支部及び軸支部に軸支されるフラッパ弁の腕部による突出部分が任意の方向を向く様にして他との干渉を避け固定可能とする。
【００１９】
また、前記した本体部と軸支部とが、軸支部に対して本体部を上下方向角度調整可能、本体部と軸支部との間隔調整可能及び本体部と排水弁座との高さ調整可能な調整手段を介して接続されていることが好ましい。この上記技術的手段によれば、排水弁座の上面部が平面状ではなく、ある所望の傾斜角で形成されていた場合等、角度調整を行う必要が生じても無理なく当該間座体を軸支部とフラッパ弁の腕部とによるフラッパ弁に対して遠方側への突出部分を任意の方向に向けて排水弁座に取着可能とする。また、排水弁座とオーバーフロー管との直線距離が異なる場合には、本体部と軸支部との間隔調整を行うことで無理なく当該間座体を軸支部とフラッパ弁の腕部とによるフラッパ弁に対して遠方側への突出部分を任意の方向に向けて排水弁座に取着可能とし、本体部と排水弁座との高さが異なる場合には、高さ調整を行うことで軸支部とフラッパ弁の腕部とによるフラッパ弁に対して遠方側への突出部分を任意の方向に向けて取着可能とする。
【００２０】
また、フラッパ弁の前記鍔部から前記フラッパ弁に対して遠方側に平行に延出している２本の腕部に複数の対応する孔部が設けてあり孔部のうちのフラッパ弁に近い側の対応する任意の孔部を所望の軸支孔とし本体部の軸支部に軸支係合させて本体部に対し揺動可能にするとともに、鍔部から前記フラッパ弁に対して遠方側に平行に延出している２本の腕部に複数の対応する孔部が設けてあり孔部のうちの軸支孔よりもフラッパ弁に対して最も遠方側の対応する孔部を保持孔とし保持孔に保持するウエイトを設けて保持し本体部の軸支部を支点とするフラッパ弁の揺動動作の揺動負荷を軽減させた。この技術的手段によればフラッパ弁の腕部のウエイトによりレバーハンドルを容易に回動可能にし、水圧や排水時の水流によりフラッパ弁が所望の時間よりも早く閉じてしまうのを防止することを可能にする。
【００２１】
さらに、前記したフラッパ弁は、便器洗浄タンクに設けられるレバーハンドルと線状部材を介して接続され、線状部材の中途に浮きを設けるとよい。
この上記技術的手段によれば、フラッパ弁の腕部のウエイト及びこの浮きの浮力によりレバーハンドルを容易に回動可能とし、水圧や排水時の水流によりフラッパ弁が所望の時間よりも早く閉じてしまうのを防止することを可能とする（請求項９）。
【００２２】
【発明の実施の形態】
次に、本発明の実施の形態を図面に基づいて説明する。図中、符号１は便器洗浄タンク用排水弁間座体、符号２は排水弁座、符号ｃはフラッパ弁である。
【００２３】
（実施形態１）
本発明の実施形態１にかかる便器洗浄タンク用排水弁間座体１は、図１及び図２に示すように、外観形状が略漏斗状を呈し側面視中途部に排水弁座上縁部２ａに密着して着座させるＯリング１３が周設されていると共に、該Ｏリング１３より下方が洗浄水を流通させる平面視放射状に形成された開口部１４を設けた本体部１１と、オーバーフロー管ｆを挟持させる略Ｃ字状の挟持部１２とが合成樹脂部材で一体成形されてなる。
【００２４】
この挟持部１２は、オーバーフロー管ｆの直径より若干縮径された所要径からなっており弾性変形可能に形成されている。また、この開口部１４を形成する構成面の中心部には既存の排水弁座の種類に応じて当該間座体１を固定させる取付孔１５が開設されると共に、略Ｃ字状の挟持部１２には、この略Ｃ字状の挟持部１２の開口方向と直交方向にフラッパ弁ｃを上下方向揺動可能に軸支させる支軸１６が突設されている。
【００２５】
なお、この便器洗浄タンク用排水弁間座体１は、合成樹脂部材を射出成形で形成することが量産する上で最も好ましいものであるが、その材質、製造方法は特に限定されない。
【００２６】
次に、フラッパ弁ｃについて説明する。該フラッパ弁は、トイレ用タンクに用いられるフロート弁であり、市販の弁であり、例えば、株式会社ユニーク・プロダクツ製のフラッパ弁である。該フラッパ弁の上部の鍔部よりフラッパ弁に対して遠方側へ延出する平行な２本の腕部には孔部が複数個対応させて設けてある。該フラッパ弁ｃは本体部の挟持部１２の支軸１６によって、開口方向と直交方向に上下方向揺動可能に軸支される。
【００２７】
（実施形態２）
図３は実施形態２を示す図である。  図３に例示したように、本発明の実施形態２は、本体部１１側に凸部１１１を設けると共に、該凸部１１１と係合する凹部１２１を挟持部１２’に設けて本体部１１’と挟持部１２’とを別体構成にし、上下方向所望の角度に合わせてから本体部１１’と挟持部１２’とを螺着させる構造である。このような態様にすることで、排水弁座２の上面部が平面状ではなく、ある所望の傾斜角で形成されていた場合は、角度調整を行うことにより無理なく当該間座体１’を排水弁座に取着することが可能となる。
なお、Ｂタイプの排水弁座２へ取付ける場合、排水弁体ガイド孔２１との連絡が行われる取付孔１５面が傾くことから、図４に例示したように揺動可能なボールジョイント式の別部材で取付孔１５１を構成する。
【００２８】
また、本体部側の凸部１１１にボルトを挿通させるために開設された孔部１１２は、図３で例示したように、本体部１１’と挟持部１２’との間隔を伸縮可能にする長孔で形成することが良い。このように形成することで、排水弁座２とオーバーフロー管ｆとの直線距離が異なる様々な便器洗浄タンクに対応することが可能となり極めて好適である。
【００２９】
さらに、本体部と排水弁座との高さが異なる場合には、本体部１１’と挟持部１２’との高さを調整することにより、当該間座体１’を排水弁座に取着することが可能となる。
【００３０】
なお、この角度調整機構と間隔調整機構と高さ調整機構とで本実施形態における調整手段となる。
【００３１】
上記、実施形態１および実施形態２に記載したように構成された便器洗浄タンク用排水弁間座体１は、以下のような手順でＢタイプの排水弁座２へ取付けられる（図５参照）。
まず、連通孔１７が開設され下端部にナット１８が内嵌されて構成されたフランジ状のゴムブッシュ１９（固定手段）を、排水弁座内中途部に開設された排水弁体ガイド孔２１に挿入する。
【００３２】
続いて、オーバーフロー管ｆに挟持部１２を押圧させてオーバーフロー管ｆに沿って拡径させ、さらに押し込むことでオーバーフロー管ｆを把持するように挟持させる。
そして、排水弁座２の上縁部２ａにＯリング１３が若干押圧されるまで挟持部１２をオーバーフロー管ｆに沿ってスライドさせて本体部１１を排水弁座２へ着座させる。このとき、予め上縁部２ａ下方近傍の内面に耐水性の接着剤を塗布しておくことで、本体部１１と排水弁座２との間からの水漏れの虞を解消すると共に強固に排水弁座２に固定されることから好ましいものである。
【００３３】
さらに、取付孔１５からボルトｇを挿入し締め上げることで、排水弁座内中途部に管径方向放射状に開設された開口部下部２ｂに位置したゴムブッシュ１９が拡径するように変形して、当該間座体１の上方への位置ずれを抑制すると同時に排水弁座２に強固に固定される。
最後にフラッパ弁ｃを支軸に上下方向揺動可能に係合させて、取り付け作業が終了する。
【００３４】
また、フラッパ弁ｃと便器洗浄タンクに設けられるレバーハンドル（不図示）とは線状部材２２を介して接続され、当該線状部材２２の中途に中空の浮き２３が設けられている。この浮き２３は、その浮力を利用してレバーハンドルの回動を容易にすると共に、水圧や排水時の水流によりフラッパ弁が早く閉じてしまうのを防止するものである。
【００３５】
なお、排水弁座２とオーバーフロー管ｆとの距離が、当該間座体１の距離寸法（挟持部中心と本体部中心との距離）と合わない場合は、本体部１１’と挟持部１２”との間隔を長孔１１２を介して調整することで解消される。
【００３６】
また、Ａタイプの排水弁体をそのまま使用して上下方向所望の角度に調整可能な態様の当該間座体１’を用いれば、排水弁体と排水弁座上縁部２ａの傾斜角度とで決定されていた開弁状態から閉弁状態となる水位を任意の位置にすることができ、フラッパ弁ｃを用いなくても節水効果を得ることができる。
さらに、図６に例示したように、Ａタイプの排水弁体をフラッパ弁ｃに替えても当該間座体１、１’は取着可能である。
【００３７】
（実施形態３）本発明の実施形態３を図面に基づいて説明する。本実施形態は、本体１１とこれに揺動可能に軸支されたフラッパ弁ｃとで両者を軸支係合させた軸支係合部による突出部分がオーバーフロー管及び又はオーバーフロー管近傍部に干渉しないように突出部分を任意の所望方向に向けて排水弁座２上に配置される。図７はフラッパ弁ｃと本体１１との関係を示す説明図である。フラッパ弁ｃの腕部に設けられている複数の孔部のうちフラッパ弁本体に近接する側の対応する任意の孔部を所望の軸支孔とし本体１１の軸支部１２１の支軸１６に嵌合させる。該フラッパ弁ｃはこの軸支部１２１の支軸１６によって、開口方向と直交方向に上下方向揺動可能に軸支される。
【００３８】
図８はフラッパ弁ｃとウエイト２４との関係を示す説明図である。フラッパ弁ｃの腕部に設けられている複数の孔部のうち最もフラッパ弁に対して遠方側に設けられた孔部にウエイト２４を係合させる。ウエイト２４は所望の重量を最小限の体積で確保するために材質を金属とするのが好ましいが、比重が１を超えて大きく、水に不溶であれば材質は限定されない。ウエイト２４の形状はフラッパ弁ｃに対する取着部以外は限定されない。ウエイト２４は、フラッパ弁ｃの腕部のフラッパ弁に対して遠方側の対応する孔部に取着されるが、取着方法は任意でよく、例えば、ウエイト２４両端部の近傍にそれぞれ溝を設けフラッパ弁ｃの腕部のフラッパ弁に対して遠方側の対応する孔部に取着してよい、またE−リング、O−リング等の取り付け部材によって取り付けてもよい。また、ウエイト２４の一方の端部にストッパ部を設け他方の端部近傍に溝を設け、ウエイト２４を孔部に挿入し、E−リング、O−リング等の取り付け部材によって取り付けてもよい。
【００３９】
上記、実施形態３に記載したように構成された便器洗浄タンク用排水弁間座体１は、以下のような手順でＢタイプの排水弁座２へ取付けられる。
まず、連通孔１７が開設され下端部にナット１８が内嵌されて構成されたフランジ状のゴムブッシュ１９（固定手段）を、排水弁座内中途部に開設された排水弁体ガイド孔２１に挿入する。
【００４０】
排水弁座２の上縁部２ａにＯリング１３が若干押圧されるまで本体部１１を排水弁座２へ押し込み着座させる。このとき、予め上縁部２ａ下方近傍の内面に耐水性の接着剤を塗布しておくことで、本体部１１と排水弁座２との間からの水漏れの虞を解消すると共に強固に排水弁座２に固定されることから好ましいものである。本体１１からフラッパ弁に対して遠方側に突出する軸支部１２１は任意の方向でよく、オーバーフロー管には係合されない。従って、オーバーフロー管近傍に障害物があっても、それが原因で、本体部１１と該本体部１１に軸支されるフラッパ弁ｃとの軸支係合部がその障害物と干渉しあい本体部を排水弁座２に取り付けることが不可能であるという事態は生じない。
【００４１】
フラッパ弁ｃと便器洗浄タンクに設けられるレバーハンドル（不図示）とは線状部材２２を介して接続され、当該線状部材２２の中途に中空の浮き２３が設けられている。更に、フラッパ弁ｃの腕部にウエイト２４が取着されている。この浮き２３及びウエイト２４は、レバーハンドルの回動を容易にすると共に、水圧や排水時の水流によりフラッパ弁が早く閉じてしまうのを防止するものである。
【００４２】
【発明の効果】
本発明は、以上のように構成したから下記の有利な効果を奏する。
請求項１によれば、オーバーフロー管に挟持させて本体部を保持させる挟持部にフラッパ弁を上下方向揺動可能に軸支するから、支軸部の無い所謂Ｂタイプの排水弁の場合でも、節水効果が得られるフラッパ弁を使用することができる。
【００４３】
さらに本発明によれば、取付孔と予め開設されている排水弁体ガイド孔とを介して排水弁座に本体部を固定可能とするから、別途、排水弁座に当該間座体を固定するための取り付け手段を要することなく強固に固定することができる。
【００４４】
請求項３によれば、排水弁座の上面部が平面状ではなく、ある所望の傾斜角で形成されていた場合等、角度調整を行う必要が生じても無理なく当該間座体を排水弁座に取着可能とし、かつ、排水弁座とオーバーフロー管との直線距離が異なる場合は、本体部と挟持部との間隔調整を行うことで無理なく当該間座体を排水弁座に取着可能とするから、様々な便器洗浄タンクに対応することができ極めて好適な便器洗浄タンク用排水弁間座体を提供できる。
【００４５】
請求項４によれば、フラッパ弁と便器洗浄タンクに設けられたレバーハンドルと線状部材を介して接続し、この線状部材の中途に浮きを設けることにより、レバーハンドルの回動が軽くなり、また、タンク内の水圧や排水時の水流によりフラッパ弁が所望の時間より早く閉じてしまうのを防止することができる。
【００４６】
さらに本発明によれば、本体部に設けた軸支部にフラッパ弁を上下方向揺動可能に軸支する。フラッパ弁と本体部はフラッパ弁の腕部の軸支孔と本体部の軸支部の支軸とが係合しこの軸支係合部分がフラッパ弁に対して遠方側へ突出するが、その突出方向を任意に調整することができるので、オーバーフロー管及び又はオーバーフロー管近傍部との干渉を避けることができる。したがって、オーバーフロー管近傍に障害物があっても、それが原因で、本体部１１と該本体部１１に軸支されるフラッパ弁ｃとが排水弁座２に取り付けることが不可能であるという事態は生じない。
【００４７】
さらに本発明によれば、取付孔と予め開設されている排水弁体ガイド孔を介して排水弁座に本体部を固定可能とするから、別途、排水弁座に当該間座体を固定するための取り付け手段を要することなく本体部のフラッパ弁に対して遠方側へ突出する軸支部を任意の方向に向けることができ、強固に固定することができる。
【００４８】
さらに本発明によれば、排水弁座の上面部が平面状ではなく、ある所望の傾斜角で形成されていた場合等、角度調整を行う必要が生じても無理なく当該間座体を軸支部とフラッパ弁の腕部とによるフラッパ弁に対して遠方側への突出部分を任意の方向に向けて排水弁座に取着可能とする。また、排水弁座とオーバーフロー管との直線距離が異なる場合には、本体部と軸支部との間隔調整を行うことで無理なく当該間座体を軸支部とフラッパ弁の腕部とによるフラッパ弁に対して遠方側への突出部分を任意の方向に向けて排水弁座に取着可能とし、本体部と排水弁座との高さが異なる場合には、高さ調整を行うことで軸支部とフラッパ弁の腕部とによるフラッパ弁に対して遠方側への突出部分を任意の方向に向けて取着可能とすることができる。
【００４９】
さらに本発明によれば、フラッパ弁の鍔部からフラッパ弁に対して遠方側に平行に延出した２本の腕部に設けられた複数の対応する孔部の内のフラッパ弁に近い側の対応する任意の孔部を所望の軸支孔とし本体部側の軸支部に軸支係合させて本体部に対し揺動可能とするとともに、軸支孔よりもフラッパ弁に対して最も遠方側の対応する孔部にウエイトを設けて保持しフラッパ弁の軸支部を支点とする揺動動作の揺動負荷を軽減させたので、フラッパ弁の腕部のウエイトによりレバーハンドルを容易に回動可能にし、水圧や排水時の水流によりフラッパ弁が所望の時間よりも早く閉じてしまうのを防止することができる。
【００５０】
さらに本発明によれば、本体部の軸支部に軸支されたフラッパ弁が排水弁座面上でフラッパ弁からフラッパ弁に対して遠方側に平行に突出する腕部と本体部の軸支部とによる突出部分が任意の方向を向いたまま着座し、フラッパ弁と便器洗浄タンクに設けられたレバーハンドルとを線状部材を介して接続し、この線状部材の中途に浮きを設けることにより、フラッパ弁の腕部のウエイトとの協同作用によりレバーハンドルの回動が軽くなり、また、タンク内の水圧や排水時の水流によりフラッパ弁が所望の時間より早く閉じてしまうのを防止することができる。
【図面の簡単な説明】
【図１】本発明の実施形態１にかかる便器洗浄タンク用排水弁間座体の平面図である。
【図２】図１の（Ａ）−（Ａ）線に沿える縦断面図である。
【図３】本発明の実施形態２にかかる便器洗浄タンク用排水弁間座体の平面図である。
【図４】取付孔をボールジョイント式で構成した場合の取付孔部廻りの拡大縦断面図である。
【図５】Ｂタイプの排水弁座へ当該間座体を取付けた場合の縦断面図である。
【図６】Ａタイプの排水弁座へ当該間座体を取付けた場合の縦断面図である。
【図７】本発明の実施形態３にかかる便器洗浄タンク用排水弁間座体とこれに軸支させたフラッパ弁共々排水弁座に固定させた状態を示す斜視図である。
【図８】本発明の実施形態３にかかるウエイトをフラッパ弁に取り付けた状態を示す斜視図である。
【図９】（１）従来の排水弁の第１の側面図である（Ａタイプ）。（２）従来の排水弁の第２の側面図である（Ｂタイプ）。
【図１０】Ａタイプの排水弁座にフラッパ弁を取付けた場合の縦断面図である。
【符号の説明】
１  便器洗浄タンク用排水弁間座体
１１  本体部
１２  挟持部
１２１  軸支部
１４  開口部
１５  取付孔
１９  ゴムブッシュ（固定手段）
ｃ  フラッパ弁
２  排水弁座
２１  排水弁体ガイド孔
ｆ  オーバーフロー管
２２  線状部材
２３  浮き
２４  ウエイト
【図１】
0004163930.tif 000002
【図２】
0004163930.tif 000003
【図３】
0004163930.tif 000004
【図４】
0004163930.tif 000005
【図５】
0004163930.tif 000006
【図６】
0004163930.tif 000007
【図７】
0004163930.tif 000008
【図８】
0004163930.tif 000009
【図９】
0004163930.tif 000010
【図１０】
0004163930.tif 000011